(57)【要約】  本発明は、長手方向軸（１４）と第１の流管部（２１）と第２の流管部（４１）とを有する流管（１２）と、流路（１３）内において第１の流管部（２１）と第２の流管部（４１）との間に配置された流動抵抗（６１）と、流動抵抗（６１）によって生成される圧力差を取り入れるための２つの接続部（３２、５２）とを有する呼吸流量センサに関する。第１の接続部（３２）は、第１接続ラインを介して第１流管部（２１）に通じ、第１流管部（２１）に設けられている。第２の接続部（５２）は、第２の接続ラインを介して第２の流管部（４１）に通じ、第２の流管部（４１）に設けられている。接続部（３２、５２）はそれぞれ、流管（１２）の長手方向軸（１４）に本質的に平行に延びる接続ライン部（３３、５３）を有する。接続部（３２、５２）の開口部（３５、５５）は、同じ方向に向けられている。本発明はまた、呼吸アダプタ、および、呼吸流量センサ（１１）を製造する方法に関する。
2021532859.tif 000002
【特許請求の範囲】
【請求項１】
呼吸流量センサであって、
長手方向軸（１４；１２４；２１４）と、第１の流管部（２１；８１；１２１；２２１）と、第２の流管部（４１；１０１；１４１；２４１）とを有する流管（１２；２１２）と、
流管（１２；２１２）内において第１の流管部（２１；８１；１２１；２２１）と第２の流管部（４１；１０１；１４１；２４１）との間に配置された流動抵抗（６１）と、
流動抵抗（６１）によって生成される圧力差を取り入れるための接続部（３２、５２；８２、１０２；１３２、１５２；２３２、２５２）と、
を有し、
第１の接続部（３２；８２；１３２；２３２）は、第１の接続ラインを介して第１の流管部（２１；８１；１２１；２２１）に通じ、
第２の接続部（５２；１０２；１５２；２５２）は、第２の接続ラインを介して第２の流管部（４１；１０１；１４１；２４１）に通じ、
接続部（３２、５２；２３２、２５２）はそれぞれ、流管（１２；２１２）の長手方向軸（１４；１２４；２１４）に本質的に平行に延びる接続ライン部（３３、５３；８３；１３３、１５３；２３３；２５３）を有し、
接続部（３２、５２；８２、１０２；１３２、１５２；２３２、２５２）の開口部（３５、５５；８５；２３５、２５５）は、同じ方向に向けられている、
呼吸流量センサにおいて、
第１の接続部（３２；８２；１３２；２３２）は、第１の流管部（２１；８１；１２１；２２１）に設けられ、
更なる接続部（５２；１０２；１５２；２５２）は、第２の流管部（４１；１０１；１４１；２４１）に設けられている
ことを特徴とする、呼吸流量センサ。
【請求項２】
前記接続ラインは、それぞれ、
少なくとも部分的に直線状に延びるとともに、前記流管（１２；２１２）の長手方向軸（１４；１２４；２１４）に本質的に平行に延びる前記接続ライン部（３３、５３；８３；１３３、１５３；２３３、２５３）と角度（α、β、γ、δ）で交差する更なる接続ライン部（３４、５４；８４；１３４、１５４；２３４、２５４）を有することを特徴とする、請求項１に記載の呼吸流量センサ。
【請求項３】
一方の前記接続ラインの、少なくとも部分的に直線状に延びる前記更なる接続ライン部（３４；１５４；２３４；２５４）は、当該接続ラインの、前記流管（１２；２１２）の長手方向軸（１４；１２４；２１４）に本質的に平行に延びる前記接続ライン部（３３；１５３；２３３；２５３）と、４０°〜７０°、好ましくは４８°〜６２°、特に好ましくは５２°〜５８°の角度（α）で交差することを特徴とする、請求項２に記載の呼吸流量センサ。
【請求項４】
他方の前記接続ラインの、少なくとも部分的に直線状に延びる前記更なる接続ライン部（５４；１３４；２３４；２５４）は、当該他方の接続ラインの、前記流管（１２；２１２）の長手方向軸（１４；１２４；２１４）に本質的に平行に延びる前記接続ライン部（５３；１３３；２３３；２５３）と、１３０°〜１６０°、好ましくは１３８°〜１５２°、特に好ましくは１４２°〜１４８°の角度（β）で交差することを特徴とする、請求項２または３に記載の呼気流量センサ。
【請求項５】
前記第１の接続部（３２；８２；１３２；２３２）が、前記更なる接続部（５２；１０２；１５２；２５２）に隣接して配置され、
好ましくは、前記第１の接続部（３２；８２；１３２；２３２）はまた、前記更なる接続部（５２；１０２；１５２；２５２）から距離を置いて配置されることを特徴とする、請求項１〜４のいずれか１項に記載の呼吸流量センサ。
【請求項６】
前記第１の接続部（３２；８２；１３２；２３２）は、前記第１の流管部（２１；８１；１２１；２２１）の外側ジャケット表面上に少なくとも部分的に設けられ、
および／または、
前記更なる接続部（５２；１０２；１５２；２５２）は、前記第２の流管部（４１；１０１；１４１；２４１）のジャケット表面上に少なくとも部分的に設けられていることを特徴とする、請求項１〜５のいずれか１項に記載の呼吸流量センサ。
【請求項７】
前記第１の流管部（２１；８１；１２１；２２１）および／または前記第２の流管部（４１；１０１；１４１；２４１）は、本質的に円筒形の部分（２２、４２；２２２、２４２）および半径方向に広がる部分（２６；２２６；４６、２４６）を有し、
前記半径方向に広がる部分（２６；２２６；２２６；４６、２４６）は、それぞれの前記第１の流管部（２１；８１；１２１；２２１）または前記第２の流管部（４１；１０１；１４１；２４１）の開放端（２４、２２４；４４、２４４）に向かって広がり、
特に、前記第１の流管部（２１；８１；１２１；２２１；２２１）および前記第２の流管部（４１；１０１；１４１；２４１）の開放端（２４、２２４；４４、２４４）に、それぞれ、接触面を有する、半径方向に突出するフランジ（２７、４７；２２７、２４７）が設けられていることを特徴とする、請求項１〜６のいずれか１項に記載の呼吸流量センサ。
【請求項８】
第１の流管部（２１；８１；１２１；２２１）の半径方向に広がる部分（２６；２２６）上に、第２の流管部（４１；１０１；１４１；２４１）の更なる接続部（５２；１０２；１５２；２５２）を少なくとも部分的に受けるための第１の接続凹部（２７ａ；２２７ａ）が存在し、
および／または、
第２の流管部の半径方向に広がる部分（４６；２４６）上に、第１の流管部（２１；８１；１２１；２２１）の第１の接続部（３２；８２；１３２；２３２）を少なくとも部分的に受けるための更なる接続凹部（４７ａ；２４７ａ）が存在することを特徴とする、請求項７に記載の呼吸流量センサ。
【請求項９】
接続ラインの更なる接続ライン部（３４、５４；２３４、２５４）を成形するための成形工具を取り外すための工具開口部（３６、５６；２３６、２５６）と、この工具開口部（３６、５６；２３６、２５６）を閉じるための閉鎖要素（３８、５８；２３８、２５８）とが設けられ、
第１の接続ラインの更なる接続ライン部（３４；２３４）を閉じるための第１の閉鎖要素（３８；２３８）が、好ましくは第１の流管部（２１；２２１）に設けられ、
第１の接続ラインの更なる接続ライン部（５４；２５４）を閉じるための第２の閉鎖要素（５８；２５８）が、好ましくは第２の流管部（４１；２４１）にもうけられていることを特徴とする、請求項２〜５のいずれか１項に記載の呼吸流量センサ。
【請求項１０】
前記第１の閉鎖要素（３８）は、ヒンジを介して、好ましくは可撓性ヒンジ（３９）を介して、前記第１の流管部（２１）に旋回可能に設けられ、
および／または、
前記第２の閉鎖要素（５８）は、ヒンジを介して、好ましくは可撓性ヒンジ（５９）を介して、前記第２の流管部（４１）に旋回可能に設けられていることを特徴とする、請求項９に記載の呼吸流量センサ。
【請求項１１】
前記工具開口部（３６、５６；２３６、２５６）および／または前記閉鎖要素（３８、５８；２３８、２５８）上に溝／櫛形構造（３７、４０、５７、６０）が設けられ、
好ましくは、前記閉鎖要素（３８、５８；２３８、２５８）は、前記工具開口部（３６、５６；２３６、２５６）を閉鎖するために、シール接続によって、特に好ましくは超音波溶接によって、それぞれの流管部（２１、４１；２２１、２４１）に固定されることを特徴とする、請求項９または１０に記載の呼吸流量センサ。
【請求項１２】
請求項１〜１１のいずれか１項に記載の少なくとも１つの呼吸流量センサ（１１）と、前記呼吸流量センサ（１１）の前記接続部（３２、５２；２３２、２５２）の１つを測定装置（７６）に接続して測定装置（７６）から呼吸流量センサ（１１）への流体接続を生成する少なくとも１つの接続チューブ（７３、７４）とを有している呼吸アダプタにおいて、
前記流体接続は、継ぎ目なしで、前記呼吸流量センサ（１１）の流管部（２１；８１；１２１；２２１）の１つに直接形成されていることを特徴とする、呼吸アダプタ。
【請求項１３】
少なくとも１つの人工呼吸チューブ（７７、７９）およびマウスピース（７８）が設けられ、
少なくとも１つの人工呼吸チューブ（７７）は、マウスピース（７８）を少なくとも１つの呼吸流量センサ（１１）に接続することを特徴とする、請求項１２に記載の呼吸アダプタ。
【請求項１４】
請求項１〜１１のいずれか１項に記載の呼吸流量センサ（１１）の製造方法であって、
ａ)第１の流管部（２１；８１；１２１；２２１）および第２の流管部（４１；１０１；１４１；２４１）をそれぞれ製造工具金型で成形し、対応する接続ラインの接続ライン部（３３または５３；８３；１３３または１５３；２３３または２５３）および更なる接続ライン部（３４または５４；８４；１３４または１５４；２３４または２５４）が、成形工具としてのスライダによって、および／または、成形工具としてのピンによって形成されるステップと、
ｂ）第１の流管部（２１；８１；１２１；２２１）および第２の流管部（４１；１０１；１４１；２４１）をそれぞれの製造工具金型から離型するステップと、
ｃ）第１の流管部（２１；８１；１２１；２２１）および第２の流管部（４１；１０１；１４１；２２１）を互いに対して軸方向および角度位置について位置合わせするステップと、
ｄ）第１の流管部（２１；８１；１２１；２２１）および第２の流管部（４１；１０１；１４１；２４１）のシール接続を形成するステップと、
を有することを特徴とする方法。
【発明の詳細な説明】
【技術分野】
【０００１】
本発明は、請求項１の前提部分に記載の呼吸流量センサ、請求項１０の前提部分に記載の呼吸アダプタ、および請求項１２に記載の呼吸流量センサを製造する方法に関する。
【背景技術】
【０００２】
差圧流量センサ、流量測定センサ、または流量センサとも呼ばれる呼吸流量センサは、人工呼吸器または麻酔機械から出るチューブと患者に供給されるチューブとの間に配置される。
【０００３】
長手方向軸、第１の流管部および第２の流管部を有する流管と、自由端の領域において、チューブのためのチューブ接続部とを備える呼吸流量センサが、ＵＳ  第４，４０３，５１４  Ａ号から知られている。第１の流管部と第２の流管部との間の流管内に流動抵抗が配置される。また、流動抵抗によって生成される圧力差を取り入れるための、半径方向に突出する接続部が設けられる。これらの接続部には、測定装置に接続可能な接続チューブが設けられている。接続部は、第１の流管部に設けられ、第１の接続ラインを介して第１の流管部に通じる。更なる接続部は、第２の流管部に設けられ、第２の接続ラインを介して第２の流管部に通じる。
【０００４】
この公知の解決策の欠点は、接続部に配置された接続ラインが折れる可能性があり、このことが、特定の状況下で、測定結果の誤りにつながることである。
【０００５】
長手方向軸、第１の流管部および第２の流管部を有する流管を備える呼吸流量センサが、ＣＨ  第７０１  ７５５  Ｂ１号から知られている。第１の流管部と第２の流管部との間の流管内に流動抵抗が配置される。また、流動抵抗によって生成される圧力差を取り入れるための接続部が設けられている。第１の接続部は、第１の接続ラインを介して第１の流管部に通じ、更なる接続部は、第２の接続ラインを介して第２の流管部に通じる。接続部は、両方とも、第１の流管部に設けられている。各接続部は、流管の長手方向軸に平行に延びる接続ラインの接続ライン部を有する。接続部の開口部は、同じ方向に向けられている。
【０００６】
この公知の解決策の欠点は、接続部から対応する流管部への接続ラインを形成するために、半径方向すなわち外側に向かって突出するフランジ延長部が設けられる必要があるだけでなく、シール接続を確保するために、シール手段の設計において複雑な構造および製造技術上の処置が必要とされることである。これは、空気短絡を防止する唯一の方法であり、これは、呼吸流量センサを使用するときに、測定結果の重大な誤りにつながる。
【０００７】
ＤＥ  第２０  ２０１７  １０２  ７０３  Ｕ１号は、長手方向軸、第１のチューブ要素、および第２のチューブ要素を有する流管を有する流量センサを示す。さらに、流量センサは、第１のチューブ要素と第２のチューブ要素との間の流管内に配置された流動抵抗を有する。流動抵抗によって生成される圧力差を取り入れるための延長チューブが、チューブ要素上に配置され、第１の延長チューブは、第１のチューブ要素内に通じ、更なる延長チューブは、第２のチューブ要素内に通じる。第１の延長チューブは、第１のチューブ要素上に配置され、更なる延長チューブは、第２のチューブ要素上に配置される。
【０００８】
この解決策の欠点は、延長チューブが流量センサから本質的に半径方向に突出し、その結果、そこに配置された測定チューブも使用中に本質的に半径方向に突出することである。その結果、この流量センサは、使用時に比較的大きな空間を占有する。このため、使用者にとっては、流量センサの取り扱いが煩雑になる。
【０００９】
呼吸流量センサが、ＵＳ  第６，５８５，６６２  Ｂ１号から知られており、これは、その構造設計に関して、ＣＨ  第７０１  ７５５  Ｂ１号による呼吸流量センサとほぼ同一であるが、これよりもはるかに実用的な設計を有する。
【先行技術文献】
【特許文献】
【００１０】
【特許文献１】米国特許第４４０３５１４号明細書
【特許文献２】中国特許第７０１７５５号明細書
【特許文献３】独国実用新案登録第２０２０１７１０２７０３号明細書
【特許文献４】米国特許第６５８５６６２号明細書
【発明の概要】
【発明が解決しようとする課題】
【００１１】
したがって、本発明の目的は、前述の欠点の少なくともいくつかを有さず、非常にコンパクトな設計を有し、容易にかつ高品質で製造することができる呼吸流量センサを作り出すことである。
【課題を解決するための手段】
【００１２】
この目的は、独立請求項の特徴によって達成される。有利な更なる展開は、図面および従属請求項に記載されている。
【００１３】
本発明によれば、呼吸流量センサは、長手方向軸と、第１の流管部と、第２の流管部とを有する流管と、流管内において第１の流管部と第２の流管部との間に配置された流動抵抗と、流動抵抗によって生成される圧力差を取り入れるための接続部と、を備える。第１の接続部は、第１の接続ラインを介して第１の流管部に通じる。更なる接続部は、第２の接続ラインを介して第２の流管部に通じ、接続部はそれぞれ、流管の長手方向軸に本質的に平行に延びる接続ラインの接続ライン部を有し、接続部の開口部は、同じ方向に向けられている。第１の接続部は、第１の流管部に設けられ、更なる接続部は、第２の流管部上に設けられている。
【００１４】
この文脈において、「流管の長手方向軸に本質的に平行」という用語は、一方では、この長手方向軸に対して数学的に規定された平行な位置合わせを意味するが、数度だけそれから逸脱する位置合わせも意味すると理解される。
【００１５】
呼吸流量センサ自体の２つの接続部は、有利には、呼吸流量センサを細くすることができるように、互いに本質的に平行に位置合わせされる。
【００１６】
流動抵抗によって生成される圧力差を取り入れるための接続部のそれぞれは、各流管部に設けられており、対応する接続ラインが、その流管部の内部に通じている。したがって、流管部が一緒にされるとき、呼吸流量センサの個々の部分が構造に関してより単純になるように設計されて容易に一緒にされることができるように、流管内の流路をシールするように注意しなければならないだけである。接続ライン内の追加の空気案内を回避することができ、これは、以前から知られている呼吸流量センサと比較して、測定精度を確実にし、さらに改善する。
【００１７】
接続ラインは、有利には、継ぎ目がないように設計される。言い換えれば、各接続ラインには、接続部の開口部からそれぞれの流管部の口部への継ぎ目がないことが有利である。これにより、測定に悪影響を及ぼす作用を回避することができ、正確な測定精度をさらに向上させることができる。
【００１８】
流動抵抗によって生成される圧力差を取り入れるための接続部は、接続チューブの接続を確実にしながら、呼吸流量センサのハウジングの外側の近くに配置することができ、これにより、呼吸流量センサ全体の非常にコンパクトな設計が可能になる。
【００１９】
呼吸流量センサは、好ましくは、２つのハウジング部分、すなわち、呼吸流量センサを容易に組み立てることを可能にする第１の流管部および第２の流管部を備える。
【００２０】
呼吸流量センサはさらに、好ましくは、射出成形部品からなるか、またはそれ自体が射出成形部品である。射出成形部品は、特に大量の場合に経済的に製造することができ、必要に応じて容易に組み立てることができる。
【００２１】
より好ましくは、呼吸流量センサは、医療用途に適したプラスチックで作られ、それによって、例えば、流管内の追加のコーティングを省略することができる。
【００２２】
好ましくは、接続ラインは、それぞれ、少なくとも部分的に直線状に延びるとともに、流管の長手方向軸に本質的に平行に延びる接続ライン部と交差する更なる接続ライン部を有する。これにより、接続ラインの構造的に簡単な設計が可能になる。
【００２３】
好ましくは、この接続ラインの、少なくとも部分的に直線状に延びる更なる接続ライン部は、その接続ラインの、流管の長手方向軸に本質的に平行に延びる接続ライン部と、４０°〜７０°の角度で交差する。これにより、良好な空気案内を確保しながら、特に射出成形部品として呼吸流量センサを簡単に製造することができる。
【００２４】
好ましくは、第１の流管部は、本質的に円筒形の部分および半径方向に広がる部分を有し、半径方向に広がる部分は、第１の流管部の開放端に向かって広がる。したがって、第２の流管部は、第１の流管部上に簡単な方法で配置することができる。
【００２５】
代替的にまたは追加的に、第２の流管部は、本質的に円筒形の部分および半径方向に広がる部分を有し、半径方向に広がる部分は、第２の流管部の開放端に向かって広がる。したがって、第１の流管部は、第２の流管部に容易に配置することができ、また２つの流管部は互いに対してシールされるように簡単な方法で配置することができる。
【００２６】
特に、第１の流管部および第２の流管部の開放端に、それぞれ、接触面を有する、半径方向に突出するフランジが設けられており、その結果、この領域の直径がより大きくなり、この配置は、２つの流管部の２つの接触面の助けを借りて単純化される。
【００２７】
好ましくは、第１の流管部の半径方向に広がる部分上に、第２の流管部の更なる接続部を少なくとも部分的に受けるための第１の接続凹部が存在する。したがって、第２の流管部の更なる接続部は、この第１の接続凹部内に容易に配置することができ、その結果、呼吸流量センサのサイズを低減することができ、可能な限りコンパクトな呼吸流量センサを利用可能にすることができる。
【００２８】
特に、第１の接続凹部は、第１の流管部の半径方向に突出するフランジ上に配置される。第１の流管部は、半径方向に突出するフランジの領域において改善された安定性を有し、その結果、第１の接続凹部も同様に、改善された安定性または強度を有しうる。
【００２９】
有利には、第１の流管部の半径方向に広がる部分上に、第２の流管部の更なる接続部を支持するための第１の支持構造があり、その結果、この更なる接続部は、拡大された接触面を備え、したがって、機械的により安定した様式で受容され、例えば、折れることがない。
【００３０】
有利には、第２の流管部の更なる接続部は、支持部を有し、有利には、この接続部は、この支持部を用いて、第１の流管部の半径方向に広がる部分上の第１の接続凹部に当接することができる。したがって、更なる接続部は、この接続凹部内で安定に保持される。これにより、例えば、外部の機械的負荷によるこの更なる接続部の折れをさらに防止することができる。
【００３１】
代替として、または追加として、第２の流管部の半径方向に広がる部分上に、第１の流管部の第１の接続部を少なくとも部分的に受けるための更なる接続凹部が存在する。したがって、第１の流管部の第１の接続部は、この第２の接続凹部内に容易に配置することができ、その結果、呼吸流量センサのサイズをさらに低減することができ、可能な限りコンパクトな呼吸流量センサを利用可能にすることができる。
【００３２】
特に、第２の接続凹部は、第２の流管部の半径方向に突出するフランジ上に設けられている。第２の流管部は、半径方向に突出するフランジの領域において改善された安定性を有し、その結果、第２の接続凹部も同様に、改善された安定性または強度を有しうる。
【００３３】
有利には、第２の流管部の半径方向に広がる部分上に、第１の流管部の第１の接続部を支持するための更なる支持構造があり、その結果、この接続部は、改善された機械的安定性を有し、例えば、折れることがない。
【００３４】
有利には、第１の流管部の第１の接続部は、支持部を有し、有利には、この接続部は、この支持部を用いて、第２の流管部の半径方向に広がる部分上の第２の接続凹部に当接することができる。したがって、第１の接続部は、この接続凹部内で安定に保持される。これにより、例えば、外部の機械的負荷による第１の接続部の折れをさらに防止することができる。
【００３５】
好ましくは、少なくとも部分的に直線状に延びる１つの接続ラインの更なる接続ライン部は、流管の長手方向軸に本質的に平行に延びるこの接続ラインの接続ライン部と４８°〜６２°の角度で交差する。これにより、特に射出成形部品としての呼吸流量センサの簡単な製造、および良好な空気案内の保証に加えて、例えば呼吸流量センサを取り外すときの再加工の労力が少ない。
【００３６】
特に好ましくは、少なくとも部分的に直線状に延びるこの接続ラインの更なる接続ライン部は、流管の長手方向軸に本質的に平行に延びるこの接続ラインの接続ライン部と５２°〜５８°の角度で交差する。これにより、呼吸流量センサは、それを製造するための安定性および材料要件に関して上述した利点に加えて、最適に構成することができる。
【００３７】
好ましくは、少なくとも部分的に直線状に延びる他方の接続ラインの更なる接続ライン部は、流管の長手方向軸に本質的に平行に延びる他方の接続ラインの接続ライン部と１３０°〜１６０°の角度で交差する。これにより、良好な空気案内を確保しながら、特に射出成形部品として呼吸流量センサを簡単に製造することができる。
【００３８】
好ましくは、少なくとも部分的に直線状に延びる他方の接続ラインの更なる接続ライン部は、流管の長手方向軸に本質的に平行に延びる他方の接続ラインの接続ライン部と１３８°〜１５２°の角度で交差する。これにより、特に射出成形部品としての呼吸流量センサの簡単な製造、および良好な空気案内の保証に加えて、例えば呼吸流量センサを取り外すときの再加工の労力が少ない。
【００３９】
特に好ましくは、少なくとも部分的に直線状に延びる他方の接続ラインの更なる接続ライン部は、流管の長手方向軸に本質的に平行に延びる他方の接続ラインの接続ライン部と１４２°〜１４８°の角度で交差する。このようにして、呼吸流量センサは、それを製造するための安定性および材料要件に関して上述した利点に加えて、最適に構成することができる。
【００４０】
好ましくは、第１の接続部は、更なる接続部に隣接して配置される。したがって、両方の接続部は、流管の同じ領域に配置されており、その結果、接続チューブが折れることが防止される。
【００４１】
好ましくは、第１の接続部は、更なる接続部に隣接して、かつ、更なる接続部からある距離をおいて配置され、その結果、接続チューブは、それぞれの接続部に容易に接続され得る。
【００４２】
好ましくは、第１の接続部は、少なくとも部分的に、第１の流管部の外側ジャケット表面上に設けられ、したがって、呼吸流量センサのハウジングの外側に配置される。したがって、呼吸流量センサを容易に製造することができ、第１の接続部と第１の流管部との間の絶対的なシール接続を保証することができる。更なる接続ライン部の領域における更なる溝／櫛形構造は、省略され得る。
【００４３】
代替として、または追加として、更なる接続部は、少なくとも部分的に、第２の流管部のジャケット表面上に、したがって、呼吸流量センサのハウジングの外側に配置される。これにより、第２の接続部と第２の流管部との間の絶対的なシール接続を保証することができる。更なる接続ライン部の領域における更なる溝／櫛形構造は、省略され得る。したがって、２つの流管部は、単純なプロセスステップで一緒にすることができ、流動抵抗は、流管内に正確に配置され、２つの流管部間の絶対的なシール接続の必然性が保証される。
【００４４】
好ましくは、接続ラインの更なる接続ライン部を成形するための成形工具を取り外すための工具開口部と、この工具開口部を閉じるための閉鎖要素とが設けられ、第１の接続ラインの更なる接続ライン部を閉じるための第１の閉鎖要素が、好ましくは第１の流管部に設けられ、第１の接続ラインの更なる接続ライン部を閉じるための第２の閉鎖要素が、好ましくは第２の流管部に設けられている。これにより、呼吸流量センサを容易に製造することができる。工具開口部が閉じられると、対応する接続ライン内の空気案内は、空気短絡なしに確保される。
【００４５】
好ましくは、第１の閉鎖要素は、ヒンジを介して、好ましくは可撓性ヒンジを介して、第１の流管部に旋回可能に設けられている。好ましくは、第２の閉鎖要素も同様に、ヒンジを介して、好ましくは可撓性ヒンジを介して、第２の流管部に旋回可能に設けられている。したがって、閉鎖要素は、それぞれの構成要素に拘束的に配置される。その結果、閉鎖要素は、呼吸流量センサの組み立て全体の間に利用可能であり、必要に応じて、または呼吸流量センサの製造プロセスにおいて、工具開口部を閉鎖するために最適化された方法で設けることができる。
【００４６】
閉鎖要素は、有利には、医療用途に適した材料、特に医療用途に適したプラスチックからなる。対応する流管部が、同じ材料、または接続技術に関して適合性のある材料から作製される場合、工具開口部は、したがって、単純な作業ステップで閉鎖され得る。
【００４７】
第１および／または第２の閉鎖要素は、対応する工具開口部を簡単なプロセスステップで閉鎖することを可能にするプラグとして設計することができる。
【００４８】
好ましくは、工具開口部および／または閉鎖要素上に溝／櫛形構造が提供され、それらは、一緒にされたときにインターロックし、それによって、閉鎖の高度の緊密性を確実にする。
【００４９】
好ましくは、閉鎖要素は、工具開口部を閉鎖するために、シール接続によって、特に好ましくは超音波溶接によって、それぞれの流管部に固定され、それによって、閉鎖の絶対的な緊密性を確実にする。
【００５０】
代替的な実施形態では、それぞれの流管部上の工具開口部を閉鎖するための閉鎖要素は、超音波溶接とは異なるタイプの溶接によって、ぴったりとした嵌め合いによって、または接着によって固定される。
【００５１】
更なる代替の実施形態では、例えば、２成分溶液が呼吸流量センサの製造において提供され、例えば接触面の領域において、これらのうちの少なくとも１つは、より柔らかいプラスチックまたは接着特性を有するプラスチックからなるか、または、コーティングされる。対応する部品が一緒にされると、それらは互いに直接シール接続される。
【００５２】
このような２成分溶液は、呼吸流量センサの製造時において、互いに接続されるべき部品、特に互いにシール接続されるべき部品に適している。
【００５３】
本発明による呼吸アダプタは、前述の特徴の少なくとも１つを有する少なくとも１つの呼吸流量センサと、呼吸流量センサの接続部の１つを測定装置に接続して測定装置から呼吸流量センサへの流体接続を生成する少なくとも１つの接続チューブとを有し、流体接続は、継ぎ目なしで、呼吸流量センサの流管部の１つに直接形成されている。
【００５４】
有利には、測定装置は、呼吸流量センサにおける圧力差を測定するように設計される。
【００５５】
この呼吸アダプタは、使用が容易であり、また、呼吸流量センサに関連してここで述べた利点を有する。
【００５６】
この文脈において、「流体接続」という用語は、例えば空気などの流体に対する、入口点から出口点までの流通可能で任意選択的なシール接続を意味すると理解される。
【００５７】
有利には、測定装置に接続可能な接続チューブが、呼吸流量センサの各接続部に設けられている。使用者のための呼吸アダプタの使用を単純化するために、接続チューブは、光学的に、例えば色、および／または、触覚的に異なっていてもよい。
【００５８】
好ましくは、呼吸アダプタは、少なくとも１つの人工呼吸チューブと、患者に供給されるマウスピースとを有し、少なくとも１つの人工呼吸チューブは、マウスピースを少なくとも１つの呼吸流量センサに接続し、それによって、使いやすい呼吸アダプタを作り出す。
【００５９】
さらに有利には、少なくとも１つの呼吸センサにも接続されて人工呼吸器または集中治療装置に接続することができる更なる人工呼吸チューブが提供され、その結果、ユーザは、使いやすい呼吸アダプタを有する。
【００６０】
呼吸流量センサを製造するための本発明による方法は、以下のステップを特徴とする。
【００６１】
第１の流管部および第２の流管部をそれぞれ製造工具金型で成形することにより、対応する接続ラインの接続ライン部および更なる接続ライン部が、成形工具としてのスライダによって、および／または、成形工具としてのピンによって形成される（ステップａ））。
【００６２】
代替的にまたは追加的に、対応する接続ラインの更なる接続ライン部は、成形工具としてのピンによって形成される（ステップａ））。
【００６３】
成形工具は、それぞれの製造工具金型に配置されており、または配置されることが可能であり、これにより、第１の流管部および第２の流管部の簡単な製造が可能になる。
【００６４】
第１の流管部および第２の流管部をそれぞれの製造工具金型から離型する（ステップｂ））。
【００６５】
スライダまたはピンとして設計された成形工具は、それぞれの製造工具金型からの第１の流管部および第２の流管部の離型を著しく単純化する。
【００６６】
第１の流管部および第２の流管部を互いに対して軸方向および角度位置について位置合わせし（ステップｃ））、これによって、これらの部分の互いに対する正確な位置合わせ、したがって、呼吸流量センサの完全な機能が保証される。
【００６７】
第１の流管部と第２の流管部とのシール接続（ステップｄ））。シール接続は、非網羅的なリストとして、溶接、特に超音波溶接、ぴったりとした嵌合、接着接続、または２成分溶液を含む。
【００６８】
有利には、呼吸流量センサのそれぞれの接続部に設けられた工具開口部が、超音波溶接によってシールされている。工具開口部がシールされると、対応する接続ライン内の空気案内が、空気短絡なしに確保される。
【００６９】
本発明の更なる利点、特徴、および詳細は、本発明の例示的な実施形態が図面を参照して説明される以下の説明から明らかになる。
【００７０】
特許請求の範囲および図面の技術的内容と同様に、参照記号のリストは、本開示の一部である。図は、一貫性のある包括的な方法で説明される。同じ参照符号は、対応する構成要素を示し、異なる符号を有する参照符号は、機能的に同一または類似の構成要素を示す。
【図面の簡単な説明】
【００７１】
【図１】本発明による呼吸流量センサの第１の実施形態を斜視図で示す。
【図２】図１による呼吸流量センサを分解斜視図で示す。
【図３】図１による呼吸流量センサの第１の流管部を側面図で示す。
【図４】図３による第１の流管部を縦断面図で示す。
【図５】図４の詳細断面Ｘを示す。
【図６】図１による呼吸流量センサの第２の流管部を側面図で示す。
【図７】図６による第２の流管部を縦断面図で示す。
【図８】図７の詳細断面Ｙを示す。
【図９】図１〜図８による呼吸流量センサを備えた呼吸アダプタを斜視図で示す。
【図１０】第２の実施形態による呼吸流量センサの第１の流管部を側面図で示す。
【図１１】図１０による第１の流管部を縦断面図で示す。
【図１２】第２の実施形態による呼吸流量センサの第２の流管部を側面図で示す。
【図１３】図１２による第２の流管部を縦断面図で示す。
【図１４】図１１および図１３の詳細断面Ｚを示す。
【図１５】第３の実施形態による呼吸流量センサの第１の流管部を縦断面図で示す。
【図１６】第３の実施形態による呼吸流量センサの第２の流管部を縦断面図で示す。
【図１７】本発明による呼吸流量センサの更なる実施形態を斜視図で示す。
【図１８】図１７による第１の流管部を斜視図で示す。
【図１９】図１７による第２の流管部を斜視図で示す。
【図２０】図１０による呼吸流量センサをさらに斜視図で示す。
【発明を実施するための形態】
【００７２】
図１〜図８に示す呼吸流量センサ１１の第１実施形態は、本例では射出成形品であり、呼吸流量センサ１１はプラスチック製である。
【００７３】
図１および図２に示すように、呼吸流量センサ１１は、長手方向軸１４と第１の流管部２１と第２の流管部４１とを有する流管１２を有し、２つの自由端１６および１８の領域には、それぞれ、人工呼吸チューブ用のチューブ接続部１７および１９を有する。
【００７４】
チューブ接続部１７上には、人工呼吸チューブが配置され、これは、ここには示されていないマウスピースまたは人工呼吸マスクを導き、これは、人工呼吸のために患者の上に置かれる。他方のチューブ接続部１９上には、人工呼吸器に通じる人工呼吸チューブが配置される。
【００７５】
流路１３を形成する流管１２において、第１の流管部２１と第２の流管部４１との間に流動抵抗６１が配置されており、この流動抵抗はダイヤフラムフラップとして形成されている。流動抵抗６１には周方向の凹部６２が設けられており、この凹部は、第１の流管部２１に設けられたカム３０と相互作用し、それにより、呼吸流量センサ１１が組み立てられたときに、流路１３内の流動抵抗６１の正しい位置合わせを確実にする。
【００７６】
突出するカム３０およびそれと相互作用する凹部６２の代わりに、流路１３内の流動抵抗６１の正確な位置合わせや、さらに、第１の流管部２１および第２の流管部４１の正確な位置合わせは、例えば外側に設けられてもよい調整手段を介して、および／または、溝／櫛形構造を介して、確保されてもよい。
【００７７】
呼吸流量センサ１１は、流動抵抗６１によって生成される圧力差を取り入れるための２つの接続部３２および５２を有する。接続部３２および５２の開口部３５または５５は、同じ方向、すなわち第１の流管部２１の自由端１６の方向に向けられている。接続部３２および５２は、それぞれの流管部２１および４１の外側ジャケット表面に設けられ、互いに隣接し、間隔をあけて配置されている。
【００７８】
第１の流管部２１（特に図３〜図５も参照）は、呼吸流量センサ１１の第１のハウジング部分である。第１の流管部２１は、本質的に円筒形の部分２２と、半径方向に広がる部分２６とを有し、その結果、この領域の直径はより大きくなる。本質的に円筒形の部分２２では、その流路部に案内要素２３が設けられ、この案内要素は、この領域で流路１３を同じサイズの２つの部分に分割し、流管１２内の目標とする空気案内を可能にする。
【００７９】
半径方向に広がる部分２６において、同じく、対応する流路部は、第１の流管部２１の開放端２４に向かってサイズが増大する。この開放端２４には、接触面２９を有する半径方向に突出するフランジ２７が設けられており、その結果、この領域では直径が大きくなる。呼吸流量センサ１１が一緒にされると、接触面２９は第２の流管部４１に面する。このフランジ２７には、溝／櫛形構造の第１の円周部分２８が接触面２９に設けられている。半径方向に広がる部分２６には、フランジ２７の領域に、第１の支持構造２７ｂによって支持される第１の接続凹部２７ａがある。第２の流管部４１の更なる接続部５２は、開口部５５に隣接して、支持部５２ａを有し、この支持部５２ａは、組み立てられた状態で、呼吸流量センサ１１の第１の接続凹部２７ａに密着し、またはその上に載り、第１の支持構造２７ｂによって支持される。
【００８０】
カム３０は、呼吸流量センサ１１が組み立てられたときに流管１２内の流動抵抗６１を正確に位置合わせするために、接触面２９から突出している。
【００８１】
流動抵抗６１によって生じる圧力差を取り入れるための第１の接続部３２は、第１の接続ラインを介して第１の流管部２１の流路部に通じている。第１の接続ラインは、流管１２の長手方向軸１４に本質的に平行に延びる接続ライン部３３と、部分的に直線状に延び、流管１２の長手方向軸１４に本質的に平行に延びる接続ライン部３３と４０°〜７０°、好ましくは４８°〜６２°、特に好ましくは５２°〜５８°の角度αで交差する更なる接続ライン部３４とを有する。この例では、この角度αは５５°である。
【００８２】
第１の接続ラインのこの更なる接続ライン部３４の延長部として、この更なる接続ライン部３４を形成するための成形工具を取り外すための第１の工具開口部３６と、この工具開口部３６を閉鎖するための第１の閉鎖要素３８とが、第１の流管部２１に設けられている。第１の閉鎖要素３８は、ヒンジを介して、ここでは可撓性ヒンジ３９またはフィルムヒンジを介して、第１の流管部２１に旋回可能に設けられている。
【００８３】
第１の工具開口部３６の周りには溝構造３７が形成されている。第１の閉鎖要素３８上に櫛形構造４０が形成され、これは、第１の工具開口部３６が閉鎖されたときに溝構造３７に係合し、溶接プロセス、特に超音波溶接プロセス中に、第１の工具開口部３６のシール、したがって第１の接続ラインの緊密性を保証する。
【００８４】
図５では、第１の工具開口部３６は閉鎖状態で示されている。
【００８５】
第２の流管部４１（特に図６〜図８も参照）は、呼吸流量センサ１１の第２のハウジング部分である。第２の流管部４１は、自由端１８の方向に外側がテーパ状になっている本質的に円筒形の部分４２と、半径方向に拡大された部分４６とを有している。本質的に円筒形の部分４２では、その流路部に案内要素４３が設けられ、この案内要素は、この領域で流管１２を同じサイズの２つの部分に分割し、流管１２内の目標とする空気案内を可能にする。案内要素４３の自由端４５は、流管１２の自由端１８に対して後退している。
【００８６】
半径方向すなわち外側に向かって拡大された部分４６において、対応する流路部はまた、第２の流管部４１の開放端４４に向かってサイズが増大する。この開放端４４には、接触面４９を備えた、半径方向に突出するフランジ４７が設けられており、この接触面４９は、呼吸流量センサ１１が一緒にされたときに第１の流管部２１またはその接触面２９の方を向く。このフランジ４７には、接触面４９に溝／櫛形構造の第２の円周部分４８が設けられており、この第２の円周部分４８は、溝／櫛形構造の第１の円周部分２８に係合し、溶接時、特に超音波溶接時にそれと融着する。これにより、第１の流管部２１と第２の流管部４１との間のシール接続が簡単に確保される。ＣＨ  第７０１  ７５５  Ｂ１号に提案されているような、溝／櫛形構造または圧力面のための複雑な多重構造は、本発明による解決策では不要である。
【００８７】
フランジ４７には、接触面４９に対してオフセットして、少なくとも部分的に流動抵抗６１が受容される受容凹部５１が設けられている。受容凹部５１の円筒リングには、呼吸流量センサ１１を組み立てる際に第１の流管部２１のカム３０が貫通する孔５０が設けられている。この構成は、呼吸流量センサ１１を組み立てるときに流路１３内の流動抵抗６１の正確な位置合わせを可能にするだけでなく、フランジ２７および４７上の溝／櫛形構造２８および４８と組み合わせて、使用分野または必要に応じて、それぞれ異なる厚さの流動抵抗の配置も可能にする。したがって、呼吸流量センサ１１は、柔軟に使用することができ、大きな労力なしに他のタイプの流動抵抗６１に適合させることができる。使用される流動抵抗６１は、第１の流管部２１と第２の流管部４１との間に保持され、特に、部分的にまたは完全に接着されるなどして、クランプ留めされるか、または他の方法で保持される。
【００８８】
呼吸流量センサ１１が組み立てられた状態では、フランジ２７、４７にフランジ圧力面は形成されていない。呼吸流量センサ１１の第１のハウジング部分としての第１の流管部２１と、呼吸流量センサ１１の第２のハウジング部分としての第２の流管部４１との間の接続は、フランジ２７および４７上の単純に形成された溝／櫛形構造２８および４８によってのみ、なされる。
【００８９】
半径方向に広がる部分４６には、フランジ４７の領域に、更なる支持構造４７ｂによって支持される更なる接続凹部４７ａがある。第１の流管部２１の第１の接続部３２は、第１の閉鎖要素３８に隣接して、支持部３２ａを有し、この支持部３２ａは、組み立てられた状態で、呼吸流量センサ１１の更なる接続凹部４７ａに密着し、またはその上に載り、支持構造４７ｂによって支持される。
【００９０】
流動抵抗６１によって生成される圧力差を取り入れるための第２の接続部５２は、第２の接続ラインを介して第２の流管部４１の流路部に通じている。第２の接続ラインは、流路１３の長手方向軸１４に本質的に平行に延びる接続ライン部５３と、部分的に直線状に延び、接続ライン部５３と１３０°〜１６０°、好ましくは１３８°〜１５２°、特に好ましくは１４２°〜１４８°の角度βで交差する更なる接続ライン部５４とを有する。この例では、この角βは１４５°である。
【００９１】
第２の接続ラインのこの更なる接続ライン部５４の延長部として、この更なる接続ライン部５４を形成するための成形工具を取り外すための第２の工具開口部５６と、この工具開口部５６を閉鎖するための第２の閉鎖要素５８とが、第２の流管部４１に設けられている。第２の閉鎖要素５８は、ヒンジを介して、ここでは可撓性ヒンジ５９またはフィルムヒンジを介して、第２の流管部４１に旋回可能に設けられている。
【００９２】
第２の工具開口部５６の周りには溝構造５７が形成されている。第２の閉鎖要素５８上に櫛形構造６０が形成され、これは、第１の工具開口部３６が閉鎖されたときに溝構造５７に係合し、溶接プロセス、特に超音波溶接プロセス中に、第２の工具開口部５６のシール、したがって第２の接続ラインの緊密性を保証する。
【００９３】
図８では、第２の工具開口部５６は開放状態で示されている。
【００９４】
呼吸流量センサ１１を製造するために、第１の流管部２１は、製造工具金型内で成形され、接続ライン部３３は、成形工具としてのピンによって形成され、更なる接続ライン部３４は、成形工具としてのスライダによって形成される。次に、第１の流管部２１を製造工具金型から離型し、そのために、スライダを第１の流管部２１から予め引き出す。
【００９５】
同時に、または時間遅延を伴って、第２の流管部４１は、更なる製造工具金型で形成され、接続ライン部５３は、成形工具としてのピンによって形成され、更なる接続ライン部５４は、成形工具としてのスライダによって形成される。次に、第２の流管部４１を製造工具金型から離型し、そのために、スライダを第２の流管部４１から予め引き出す。
【００９６】
ここでは、工具開口部３６、５６は、閉鎖要素３８、５８によってそれぞれ閉鎖することができる。
【００９７】
第１の流管部２１と第２の流管部４１は、ここでは、互いに、詳しくは、軸方向に、かつ互いに対する角度位置に対して位置合わせされている。
【００９８】
次に、第１の流管部２１と第２の流管部４１は、本実施形態では超音波溶接によって互いにシール接続されている。
【００９９】
図９に示す呼吸アダプタ７１は、呼吸流量センサ１１と、呼吸流量センサ１１の接続部３２を測定装置７６に接続して測定装置７６から呼吸流量センサ１１への第１の流体接続を生成する接続チューブ７３と、呼吸流量センサ１１の接続部５２を測定装置７６に接続して測定装置７６から呼吸流量センサ１１への第２の流体接続を生成する接続チューブ７４とを備える。流体接続は、継ぎ目なしで通じるように、呼吸流量センサ１１の流管部の１つに直接形成される。
【０１００】
呼吸アダプタ７１は、第１の人工呼吸チューブ７７と、人工呼吸マスクとして設計されたマウスピース７８とをさらに備える。第１の人工呼吸チューブ７７は、マウスピース７８を呼吸流量センサ１１に接続する。さらに、呼吸アダプタ７１は、呼吸流量センサ１１を人工呼吸器７２に接続する第２の人工呼吸チューブ７９を有する。
【０１０１】
測定装置７６は、呼吸流量センサ１１内で生成された圧力差を測定または記録し、処理するように設計されている。この例では、測定装置７６は、患者の人工呼吸のために設計された人工呼吸器７２に組み込まれている。
【０１０２】
図１０〜図１４に示す呼吸流量センサの第２の例示的な実施形態では、第１の流管部８１（特に図１０および図１１を参照）は、呼吸流量センサ１１の第１の流管部２１とは、本質的に、いくつかの部分で作製されて１つの接続ラインを有する点でのみ異なる。この場合、接続部８２の開口部８５から出ている接続ライン部８３は、更なる接続ライン部８４と直接接続していない。接続ライン部８３および更なる接続ライン部８４は、それぞれ第１の流管部８１の開放端８６に通じている。接続部８２は、さらに、第１の流管部８１に設けられている。
【０１０３】
第１の流管部８１は、２つの部分、すなわち、流管部部分９１および流管部部分９３で設計され、これらは、シール接続によって互いに接続される。第１の流管部８１が２つの部分からなるので、この第１の流管部における接続ラインの構造は、簡単な製造を保証しながら、所望の方法で製造されることができる。したがって、第１の流管部８１を成形するために、製造開口部または工具開口部は必要とされない。
【０１０４】
呼吸流量センサの第２の実施形態の第２の流管部１０１の構成（特に図１２および図１３を参照）は、呼吸流量センサ１１の第２の流管部４１に本質的に対応する。しかしながら、この第２の流管部１０１は、組み立てられた状態で、第１の流管部８１の接続部８２の反対側に位置する領域に空気デフレクタ１１２を有し、その空洞１１３は、第２の流管部１０１の自由端１１４に開口している。
【０１０５】
図１４に詳細に示されているように、第１の流管部８１と第２の流管部１０１とが結合された状態では、接続部８２から第１の流管部８１の内部への第１の接続ラインの経路が見られる。流体は空洞１１３内で方向転換される。この偏向領域における第１の流管部８１と第２の流管部１０１との間のシール接続は、接触部分１１６および１１７においてのみ与えられる。この実施形態では、第１の接続ラインは、継ぎ目なしでは形成されない。しかしながら、第２の流管部１０１の第２の接続ラインは、依然として継ぎ目がない。
【０１０６】
第３の実施形態による呼吸流量センサの第１の流管部１２１（図１５参照）および第２の流管部１４１（図１６参照）は、それらの接続ラインの設計のみが異なる。
【０１０７】
流動抵抗によって生じる圧力差を取り入れるための第１の接続部１３２は、第１の接続ラインを介して第１の流管部１２１の流路部に通じている。流管の長手方向軸１２４に本質的に平行に延びる接続ライン部１３３と更なる接続ライン部１３４は、１３０°〜１６０°、好ましくは１３８°〜１５２°、特に好ましくは１４２°〜１４８°の角度γで交差する。この例では、この角度γは約１４７°である。この角度γは、スライダとして設計された成形工具が、第１の流管部１２１が離型されるときに、そのために工具開口部を必要とすることなく、簡単に引き出され得るように選択された。
【０１０８】
流動抵抗によって生じる圧力差を取り入れるための第２の接続部１５２は、第２の接続ラインを介して第２の流管部１４１の流路部に通じている。流管の長手方向軸１２４に本質的に平行に延びる接続ライン部１５３と更なる接続ライン部１５４は、４０°〜７０°、好ましくは４８°〜６２°、特に好ましくは５２°〜５８°の角度δで交差する。この例では、この角度δは５３°である。この角度δは、スライダとして設計された成形工具が、第２の流管部１４１が離型されるときに、そのために工具開口部を必要とすることなく、簡単に引き出され得るように選択された。
【０１０９】
第１の接続ラインおよび第２の接続ラインは、それぞれ、継ぎ目がないように設計される。
【０１１０】
図１７〜図２０に示す呼吸流量センサ２１１の更なる例示的な実施形態では、流管２１２は、長手方向軸２１４と、第１の流管部２２１と、第２の流管部２４１とを有する。ここで、第１の流管部２２１（特に図１８参照）は、第１の閉鎖要素２３８が接続部２３２において管部２３９として設計されている点においてのみ、呼吸流量センサ１１の第１の流管部２１と本質的に異なる。第１の閉鎖要素２３８は、更なる接続ライン部２３４に通じる第１の工具開口部２３６を有し、接続部２３２の開口部２３５から出る接続ライン部２３３は、更なる接続ライン部２３４と直接接続している。第１の接続部２３２は、さらに、第１の流管部２２１に設けられている。
【０１１１】
第１の流管部２２１は、呼吸流量センサ２１１の第１のハウジング部分である。第１の流管部２２１は、本質的に円筒形の部分２２２と、半径方向に広がる部分２２６とを有し、その結果、この領域の直径はより大きくなる。本質的に円筒形の部分２２２では、その流路部に案内要素２２３が設けられ、この案内要素は、この領域で流路２１３を同じサイズの２つの部分に分割し、流管２１２内の目標とする空気案内を可能にする。
【０１１２】
第１の流管部２２１の半径方向に広がる部分２２６において、対応する流路部はまた、第１の流管部２２１の開放端２２４に向かってサイズが増大する（特に図１８を参照のこと）。この開放端２２４には、半径方向に突出するフランジ２２７が設けられている。半径方向に広がる部分２２６には、フランジ２２７の領域に、第１の支持構造２２７ｂによって支持される第１の接続凹部２２７ａがある。第２の流管部２４１の更なる接続部２５２は、開口部２５５に隣接して、支持部２５２ａを有し、この支持部２５２ａは、組み立てられた状態において、呼吸流量センサ１１の第１の接続凹部２２７ａに密着し、またはその上に載る。
【０１１３】
呼吸流量センサ２１１のこの例示的な実施形態の第２の流管部２４１の構成（特に図１９を参照）は、呼吸流量センサ１１の第２の流管部４１に本質的に対応する。しかしながら、この第２の流管部２４１は、管部２５９として設計された閉鎖要素２５８を第２の接続部２５２上に有する。閉鎖要素２５８は、更なる接続ライン部２５４に通じる第２の工具開口部２５６を有し、第２の接続部２５２の開口部２５５から出る接続ライン部２５３は、更なる接続ライン部２５４と直接接続している。第２の接続部２５２は、さらに、第２の流管部２４１に設けられている。
【０１１４】
第２の流管部２４１はまた、呼吸流量センサ２１１の第２のハウジング部分である。第２の流管部２４１は、自由端２１８の方向に外側が先細になっている本質的に円筒形の部分２４２を有する。第２の流管部２４１は、開放端２４４に向かって半径方向に拡大された部分２４６を有する。本質的に円筒形の部分２４２では、その流路部に案内要素２４３が設けられ、この案内要素は、この領域で流管２１２を同じサイズの２つの部分に分割し、流管２１２内の目標とする空気案内を可能にする。案内要素２４３の自由端２４５は、流管２１２の自由端２１８に対して後退している。
【０１１５】
第２の流管部２４１の半径方向に広がる部分２４６には、フランジ２４７の領域に、更なる支持構造２４７ｂによって支持される更なる接続凹部２４７ａがある。第１流管部２２１の第１の接続部２３２は、第１の閉鎖要素２３８に隣接して、支持部２３２ａを有し、この支持部２３２ａは、組み立てられた状態において、呼吸流量センサ１１の更なる接続凹部２４７ａに密着し、またはその上に載る。
【０１１６】
図２０は、組み立てられた呼吸流量センサ２１１を示し、管部２３９および２５９上の工具開口部２３６および２５６は、閉鎖して示されている。これらを、超音波溶接装置を用いて超音波溶接プロセスで気密にシールした。
【符号の説明】
【０１１７】
１１  呼吸流量センサ、１２  流管、１３  流路、１４  １２の長手方向軸、１６  １２の自由端、１７  チューブ接続部、１８  １２の自由端、１９  チューブ接続部、２１  第１の流管部、２２  円筒形の部分、２３  案内要素、２４  ２１の開放端、２６  広がる部分、２７  フランジ、２７ａ  第１の接続凹部、２７ｂ  第１の支持構造、２８  溝／櫛形構造の第１の円周部分、２９  接触面、３０  カム、３２  第１の接続部、３２ａ  ３２の支持部、３３  接続ライン部、３４  接続ライン部、３５  ３２の開口部、３６  第１の工具開口部、３７  溝構造、３８  第１の閉鎖要素、３９  可撓性ヒンジ、４０  櫛形構造、４１  第２の流管部、４２  円筒形の部分、４３  案内要素、４４  ２１の開放端、４５  ４３の自由端、４６  拡大された部分、４７  フランジ、４７ａ  更なる接続凹部、４７ｂ  更なる支持構造、４８  溝／櫛形構造の第２の円周部分、４９  接触面、５０  孔、５１  受容凹部、５２  第２の接続部、５２ａ  ５２の支持部、５３  接続ライン部、５４  更なる接続ライン部、５５  ３２の開口部、５６  第２の工具開口部、５７  溝構造、５８  第２の閉鎖要素、５９  可撓性ヒンジ、６０  櫛形構造、６１  流動抵抗、６２  ６１の凹部、α  ３３と３４との間の角度、β  ５３と５４との間の角度、７１  呼吸アダプタ、７２  人工呼吸器、７３  第１の接続チューブ、７４  第２の接続チューブ、７６  測定装置／人工呼吸器、７７  第１の人工呼吸チューブ、７８  マウスピース、７９  第２の人工呼吸チューブ、８１  第１の流管部、８２  第１の接続部、８３  接続ライン部、８４  更なる接続ライン部、８５  ８２の開口部、８６  ８１の開放端、９１  第１の流管部部分、９３  第２の流管部部分、１０１  第２の流管部、１０２  第２の接続部、１１２  空気デフレクタ、１１３  １１２の空洞、１１４  １０１の自由端、１１６  接触部分、１１７  接触部分、１２１  第１の流管部、１２４  長手方向軸、１３２  第１の接続部、１３３  接続ライン部、１３４  更なる接続ライン部、１４１  第２の流管部、１５２  第２の接続部、１５３  接続ライン部、１５４  更なる接続ライン部、２１１  呼吸流量センサ、２１２  流管、２１３  流路、２１４  長手方向軸、２１８  ２１２の自由端、２２１  第１の流管部、２２２  円筒形の部分、２２３  案内要素、２２４  ２２１の開放端、２２６  広がる部分、２２７  フランジ、２２７ａ  第１の接続凹部、２２７ｂ  第１の支持構造、２３２  第１の接続部、２３２ａ  ２３２の支持部、２３３  接続ライン部、２３４  更なる接続ライン部、２３５  開口部、２３６  第１の工具開口部、２３８  第１の閉鎖要素、２３９  管部、２４１  第２の流管部、２４２  円筒形の部分、２４３  案内要素、２４４  開放端、２４５  ２４３の自由端、２４６  広がる部分、２４７  フランジ、２４７ａ  更なる接続凹部、２４７ｂ  更なる支持構造、２５２  第２の接続部、２５２ａ  ２５２の支持部、２５３  接続ライン部、２５４  更なる接続ライン部、２５５  開口部、２５６  第２の工具開口部、２５８  閉鎖要素、２５９  管部、γ  １３３と１３４との間の角度、δ  １５３と１５４との間の角度。
【図１】
2021532859.tif 000003
【図２】
2021532859.tif 000004
【図３】
2021532859.tif 000005
【図４】
2021532859.tif 000006
【図５】
2021532859.tif 000007
【図６】
2021532859.tif 000008
【図７】
2021532859.tif 000009
【図８】
2021532859.tif 000010
【図９】
2021532859.tif 000011
【図１０】
2021532859.tif 000012
【図１１】
2021532859.tif 000013
【図１２】
2021532859.tif 000014
【図１３】
2021532859.tif 000015
【図１４】
2021532859.tif 000016
【図１５】
2021532859.tif 000017
【図１６】
2021532859.tif 000018
【図１７】
2021532859.tif 000019
【図１８】
2021532859.tif 000020
【図１９】
2021532859.tif 000021
【図２０】
2021532859.tif 000022
【国際調査報告】
2021532859.tif 000023
2021532859.tif 000024
2021532859.tif 000025
2021532859.tif 000026
2021532859.tif 000027